(57)【特許請求の範囲】
【請求項１】
前部に耕うん部（３）、後部に駆動輪（４）を設け、耕うん部（３）と後駆動輪（４）の間にエンジン（１５）を搭載したロータリ耕うん機（１）において、
伝動ケース（２）を左右２分割で構成し、ハンドル支柱（５）を取付けるための支え枠（１７）を左右の各伝動ケース（２Ａ、２Ｂ）後部から上方に向かってそれぞれ突設して左右一対とし、組立時、左右の伝動ケース（２Ａ、２Ｂ）同士を合わせた時に左右の支え枠（１７Ａ、１７Ｂ）間に隙間を形成すると共に、
ハンドル支柱（５）の側部にチェンジレバー用パネル（１９）を一体的に設けることを特徴とするロータリ耕うん機。
【発明の詳細な説明】
【０００１】
【発明の属する技術分野】
本発明は、前部に耕うん部、後部に駆動輪を設け、耕うん部と後駆動輪の間にエンジンを搭載して、主として歩行型の耕うん作業を行うロータリ耕うん機に関するものである。
【０００２】
【従来の技術】
従来、主として歩行型の耕うん作業を行うための、前部に耕うん部、後部に駆動輪を設け、耕うん部と後駆動輪の間にエンジンを搭載したタイプのロータリ耕うん機はよく知られている。
しかしながら、従来のロータリ耕うん機は、例えば組立時にハンドル支柱がガタつくという不具合を有していた。
【０００３】
【発明が解決しようとする課題】
本発明は、上記従来の問題を解決するために為されたものであり、その目的とするところは、組立時にハンドル支柱をガタつかずにしっかりと取付けられる構造とし、さらに、このハンドル支柱にチェンジレバー用パネルを一体的に設けて部品点数を少なくできるロータリ耕うん機を提供することにある。
【０００４】
【課題を解決するための手段】
上記の課題を解決するため、本発明は、前部に耕うん部、後部に駆動輪を設け、耕うん部と後駆動輪の間にエンジンを搭載したロータリ耕うん機において、伝動ケースを左右２分割で構成し、ハンドル支柱を取付けるための支え枠を左右の各伝動ケース後部から上方に向かってそれぞれ突設して左右一対とし、組立時、左右の伝動ケース同士を合わせた時に左右の支え枠間に隙間を形成すると共に、ハンドル支柱の側部にチェンジレバー用パネルを一体的に設けることを特徴としている。
【０００５】
【発明の実施の形態】
以下、図面を参照して、本発明の実施の形態について説明する。
図１は本発明に係るロータリ耕うん機の構成を示す側面図である。
本発明に係るロータリ耕うん機１は、図１に示すように、伝動ケース２の前方（図の左側）に耕うん部３を、中央に伝動入力軸を、後方（図の右側）左右に後駆動輪４をそれぞれ略水平方向に並べて設けている。そして、伝動ケース２の上部に搭載されたエンジン１５は、耕うん部３と後駆動輪４の間に位置している。
【０００６】
伝動ケース２の後部には、運転用のハンドル６とチェンジレバー１０がそれぞれ配設されている。チェンジレバー１０は、固定用ピン１１の位置で分割できるようになっている。また、耕うん機前部のロータリカバー１３には取っ手１４が取付けられている。
【０００７】
ここで、上記ハンドル６の構成について説明する。
図２は、図１のハンドル６のＡ方向矢視図、図３は、図２の一部拡大図、図４は、ハンドル６とハンドル支柱５との接続部位の拡大図である。
ハンドル６は、ハンドル支柱５の先端部に取付けられ、且つハンドル支柱５先端部のハンドル回動軸８を中心にハンドル６が回動自在に軸支されている。ハンドル６の幅方向に、補強と取っ手の機能を兼ねたバー７が取付けられている。また、ハンドル６の下端の左右両側にそれぞれハンドル折り畳み時の固定用のフランジ板９、９が設けられている。なお、ハンドル６は、固定用ノブ１２によって作業時はハンドル位置６Ａに固定されている。
【０００８】
そして、ハンドル６を回動軸８を中心に下方に回動すると、ハンドル６に設けられた左右のフランジ板９、９の孔９Ａが、ハンドル支柱５の孔の位置１６Ａまで回動されて、ハンドル支柱５を両側から挟むように固定用ノブ１２によって固定する。こうして、折り畳み時はハンドル６がハンドル位置６Ｂに固定される。以上のように、耕うん機１の移動、収納時は、ハンドル６を折り畳んでコンパクトにすることができる。この際、ロータリカバー１３の取っ手１４とハンドル６のバー７を両手で持って持ち上げることができる。
【０００９】
次に、ハンドル支柱の取付構造について説明する。
図５は、ハンドル支柱の取付構造を示すもので耕うん機を背面から見た矢視図である。
伝動ケース２は板金製の左右２分割のケース２Ａ、２Ｂで構成され、組立時に左右のケースを合わせるようになっている。左右の各伝動ケース２Ａ、２Ｂ後部から上方斜め方向に向かって左右一対の支え枠１７Ａ，１７Ｂを突設している。この左右一対の支え枠１７Ａ，１７Ｂはハンドル支柱５を取付けるためのもので、ハンドル支柱５を左右の支え枠１７Ａ，１７Ｂで両側から挟み込むようにして固定支持している。なお、この組立時に、左右の伝動ケース２Ａ，２Ｂ同士をぴったりと合わせた時、これらと一体的に設けられている左右の支え枠１７Ａ，１７Ｂの合わせ面には若干の隙間Ｄが形成されるように構成されている。
【００１０】
このように、左右の伝動ケース２Ａ，２Ｂ同士を合わせるとともに、左右の支え枠１７Ａ，１７Ｂでハンドル支柱５の下端部を両側から挟み込むようにして合わせた際に、左右の支え枠１７Ａ，１７Ｂの合わせ面に隙間Ｄがあいているので、所定の位置をボルト１８で締め付けて固定することにより支え枠１７が撓み、ハンドル支柱５がガタつかずにしっかりと固定保持される。
【００１１】
次に、チェンジレバー用パネルについて説明する。
図６は、図１の耕うん機を反対側から見た側面図、図７は、チェンジレバー用パネルの取付構造を示す平面図である。
すなわち、ハンドル支柱５の右側（つまりチェンジレバー１０側）側部にチェンジレバー用パネル１９を一体的に設ける。もう少し具体的に説明すると、ハンドル支柱５の右側側部の所定位置に板状のステー２０を溶接等によって取付け、このステー２０にチェンジレバー用パネル１９をネジ等で取付ける（図７参照）。このように、チェンジレバー用パネル１９をハンドル支柱５と一体的に設けることにより、構造が簡単で部品点数が少なくなり、コスト的にも安価にできる。
【００１２】
次に、エンジンを搭載するためのエンジンベースについて説明する。
前述したように、伝動ケース２は、左右に２分割されたケース２Ａ，２Ｂを合わせる方式としたものであるが（図５参照）、この伝動ケース２Ａ，２Ｂの上面をフラット面とし、エンジンベース２１を構成している（図１及び図６参照）。
すなわち、伝動ケース２とエンジンベース２１が一体化された構造とすることにより、低重心化が可能となり、耕うん時に安定して作業ができる。
【００１３】
【発明の効果】
以上、詳細に説明したように、本発明によれば、ロータリ耕うん機において、伝動ケースを左右２分割で構成し、ハンドル支柱を取付けるための支え枠を左右の各伝動ケース後部から上方に向かってそれぞれ突設して左右一対とし、組立時、左右の伝動ケース同士を合わせた時に左右の支え枠間には隙間が形成されるようにしたので、ボルトで支え枠を締め付けて固定すると支え枠が撓んで、左右の支え枠で挟持されたハンドル支柱がガタつかずにしっかりと固定保持される。
また、運転用のハンドルを取付けるためのハンドル支柱の側部にチェンジレバー用パネルを一体的に設けることにより、構造が簡単で部品点数が少なくなり、コスト的にも安価にできる。
【図面の簡単な説明】
【図１】本発明に係るロータリ耕うん機の構成を示す側面図である。
【図２】図１のハンドル６のＡ方向矢視図である。
【図３】図２の一部拡大図である。
【図４】ハンドル６とハンドル支柱５との接続部位の拡大図である。
【図５】ハンドル支柱の取付構造を示すもので耕うん機の背面から見た矢視図である。
【図６】本発明に係るロータリ耕うん機の図１とは反対側から見た側面図である。
【図７】チェンジレバー用パネルの取付構造を示す平面図である。
【符号の説明】
１ ロータリ耕うん機
２ 伝動ケース
３ 耕うん部
４ 後駆動輪
５ ハンドル支柱
６ ハンドル
７ バー
８ ハンドル回動軸
９ フランジ板
１０ チェンジレバー
１２ 固定用ノブ
１３ ロータリカバー
１５ エンジン
１７ 支え枠
１９ チェンジレバー用パネル
２０ ステー
２１ エンジンベース
【図１】
0003885427.tif 000002
【図２】
0003885427.tif 000003
【図３】
0003885427.tif 000004
【図４】
0003885427.tif 000005
【図５】
0003885427.tif 000006
【図６】
0003885427.tif 000007
【図７】
0003885427.tif 000008